(57)【特許請求の範囲】
【請求項１】
路面等における開口部の周囲に設置する転落防止柵であり、
当該転落防止柵は、開口部に対向するように配置する基礎部材と、単管パイプを立設可能で、基礎部材に連接する拡張アダプター部材と、路面等における開口部内に配置されて、開口部に対向するように配置された一対の基礎部材を突っ張り状態にして固定するジャッキベース部材とから構成され、
基礎部材は、垂設体を備えている台座板と、台座板から下方に向けて延設した垂下板から形成され、
拡張アダプター部材は、単管パイプの立設板と、立設板から側方に向けて延設した所定の長さの腕部材から形成され、この腕部材は基礎部材の垂設体に連結する接合体を備え、
拡張アダプター部材を連結している基礎部材を開口部に対向するように設置し、ジャッキベース部材の両端部を一対の垂下板に圧接している状態において、
拡張アダプター部材の立設板に単管パイプを立設させ、それぞれの単管パイプに横パイプを組み付けたことを特徴とする、路面等の開口部における転落防止柵。
【請求項２】
路面等における開口部に設置する転落防止柵であり、
当該転落防止柵は、開口部に対向するように配置する基礎部材と、単管パイプを立設可能で、基礎部材に連接する拡張アダプター部材と、路面等における開口部内に配置されて、開口部に対向するように配置された一対の基礎部材を突っ張り状態にして固定するジャッキベース部材とから構成され、
基礎部材は、垂設体を備えている台座板と、台座板から下方に向けて延設した垂下板から形成され、
拡張アダプター部材は、単管パイプの立設板と、立設板から側方に向けて延設した所定の長さの腕部材から形成され、この腕部材は基礎部材の垂設体に連結する接合体を備え、
拡張アダプター部材を連結している基礎部材を開口部に対向するように設置し、ジャッキベース部材の両端部を一対の垂下板に圧接している状態において、
開口部に配置されている任意の位置の拡張アダプター部材の立設板に単管パイプを立設させ、それぞれの単管パイプに横パイプを組み付けたことを特徴とする、路面等の開口部における転落防止柵。
【請求項３】
基礎部材の垂設体と拡張アダプター部材の接合体は、いずれも筒状に形成され、拡張アダプター部材の接合体内に、基礎部材の垂設体を挿入可能である請求項１または２に記載の路面等の開口部における転落防止柵。
【請求項４】
拡張アダプター部材の腕部材は、長さ調節可能に形成されている請求項１または２に記載の路面等の開口部における転落防止柵。
【請求項５】
拡張アダプター部材を形成する単管パイプの立設板は、単管パイプを立設した状態で支持する単管パイプ用保持部を備えている請求項１または２に記載の路面等の開口部における転落防止柵。
【請求項６】
拡張アダプター部材を形成する単管パイプの立設板は、幅木材を支持する幅木材用保持部を備えている請求項１または２に記載の路面等の開口部における転落防止柵。
【発明の詳細な説明】
【技術分野】
【０００１】
本発明は、例えば、路面等において試し掘り工事をはじめとする、種々の掘削工事を実施する場合において、路面等の開口部の周囲に設置する、路面等の開口部における転落防止柵に関するものである。
【背景技術】
【０００２】
路面等において試し掘り工事をはじめとする、種々の掘削工事を実施する場合においては、必然的に、路面に四角形等の開口部が形成されることとなる。
【０００３】
この開口部に、作業者や歩行者が誤って転落してしまう事態の発生を防止すると共に、周囲への注意喚起の意味を含めて、当該開口部又はその周囲に、転落防止柵を設置することが多い。
【０００４】
この転落防止柵としては、様々なタイプの柵が存在している。
【０００５】
例えば、図１８に示すように、開口部１００内に複数の土止め材（軽量鋼矢板）１０１を設置している状態において、開口部１００の周囲に、複数のＡ型バリケード１０２を配置する柵がある。
【０００６】
また、図１９に示すように、複数の単管パイプ１０３をクランプ等を介して柵状に組み付けて、開口部１００の周囲に配置する柵もある。
【０００７】
この他、図２０に示すように、四角形の開口部１００の四隅に立設する支柱Ｃと、四角形の開口部１００の相対向する側縁に立設した支柱Ｃ間に取り付ける突っ張り部材Ｂ１と、支柱Ｃ間に着脱自在に取り付けた単管パイプＤとから成り、支柱Ｃは、下端に支柱基部Ｃ１を有し、支柱基部Ｃ１は下端一側に、四角形の開口部１００の側縁に係止自在な断面鉤型係止部５ａを有し、突っ張り部材Ｂ１は、両端に板体を有し、ネジ機構により長手方向に伸縮自在であり、相対向する支柱Ｃの各支柱基部Ｃ１に設けた縦板に板体を当ててネジ機構により伸長した際、各支柱基部Ｃ１の断面鉤型係止部５ａが四角形の開口部１００の側縁に圧接する構成であり、単管パイプＤは各支柱Ｃに直交クランプＥにより着脱自在に取り付けられる構成とした柵も存在している（特許文献１）。
【先行技術文献】
【特許文献】
【０００８】
【特許文献１】実用新案登録第３１３４０７５号公報
【発明の概要】
【発明が解決しようとする課題】
【０００９】
しかし、図１８に示す複数のＡ型バリケード１０２を配置する柵は、周囲への注意喚起のみであり、転落防止柵として充分に機能していないのが実情である。
【００１０】
また、図１９に示す柵や、図２０に示す突っ張り部材Ｂ１を用いた柵（特許文献１）においては、以下のような弊害が生じている。
【００１１】
すなわち、図１９・図２０に示す柵においては、開口部１００の周縁と、立設している単管パイプ１０３・支柱Ｃとの距離が非常に短くなっており、開口部１００の周縁と単管パイプ１０３・支柱Ｃが、極めて近接している。
【００１２】
そのため、開口部１００内に複数の土止め材（軽量鋼矢板）１０１を設置する作業において、開口部１００の周縁に近接した状態で設置されている単管パイプ１０３・支柱Ｃが、作業の邪魔になってしまう事態が生じていた。
【００１３】
また、図１９・図２０に示す柵においては、路面マーキングを充分に実施できないという弊害が生じていた。
【００１４】
例えば、路面等において実施する試し掘り工事においては、地中に存在している様々な管等の位置を確認して路面に印を付す作業を実施している。
【００１５】
具体的には、図２１に示すように、地中に管等が存在していた場合には、その位置を明確に示すために所定の印を付しているが、開口部１００の周縁と柵との距離が短いと、現実的に、この印を解り易く表記することができないという事態が生じていた。
【００１６】
そして、掘削した路面を埋め戻して、路面の開口部１００を閉鎖したとき、図２２に示すように、僅かな印が所定の間隔を保持して記録されるが、地中に存在している管の位置を明確に示す印として、充分に機能していなかった。
【００１７】
そこで、本発明は、路面等における開口部の周縁と、柵を構成する部材との間の距離を充分に確保することにより、開口部内に土止め材（軽量鋼矢板）を設置する作業を円滑に実施すると共に、地中に存在している管等の位置を明確に示す路面マーキングを確実に実施すことのできる、路面等の開口部における転落防止柵を提供することを目的とする。
【課題を解決するための手段】
【００１８】
上記課題を解決するために、請求項１に係る発明は、路面等における開口部の周囲に設置する転落防止柵であり、
当該転落防止柵は、開口部に対向するように配置する基礎部材と、単管パイプを立設可能で、基礎部材に連接する拡張アダプター部材と、路面等における開口部内に配置されて、開口部に対向するように配置された一対の基礎部材を突っ張り状態にして固定するジャッキベース部材とから構成され、
基礎部材は、垂設体を備えている台座板と、台座板から下方に向けて延設した垂下板から形成され、
拡張アダプター部材は、単管パイプの立設板と、立設板から側方に向けて延設した所定の長さの腕部材から形成され、この腕部材は基礎部材の垂設体に連結する接合体を備え、
拡張アダプター部材を連結している基礎部材を開口部に対向するように設置し、ジャッキベース部材の両端部を一対の垂下板に圧接している状態において、
拡張アダプター部材の立設板に単管パイプを立設させ、それぞれの単管パイプに横パイプを組み付けたことを特徴とする。
【００１９】
請求項１に記載の、路面等の開口部における転落防止柵に係る発明によれば、単管パイプを立設可能で、基礎部材に連接する拡張アダプター部材が存在し、この拡張アダプター部材は所定の長さの腕部材を備えていることから、路面等における開口部の周縁と、単管パイプとの間の距離を充分に確保することができる。
【００２０】
その結果、開口部内に複数の土止め材（軽量鋼矢板）を設置する作業を実施する際に、開口部の周囲に設置した単管パイプが作業の邪魔になってしまう事態が回避して、複数の土止め材（軽量鋼矢板）を設置する作業を円滑に実施できる。
【００２１】
また、路面等における開口部の周縁と、単管パイプとの間の距離を充分に確保できることから、地中に存在している管等の位置を示す路面マーキングを確実に実施すことができる。
【００２２】
この様に、本発明によれば、路面等における開口部の周縁と、単管パイプとの間の距離を充分に確保した状態で、路面等における開口部を囲むようにして柵を構築することができ、歩行者や作業者等の転落を確実に防止することができる。
【００２３】
請求項２に係る発明は、路面等における開口部に設置する転落防止柵であり、
当該転落防止柵は、開口部に対向するように配置する基礎部材と、単管パイプを立設可能で、基礎部材に連接する拡張アダプター部材と、路面等における開口部内に配置されて、開口部に対向するように配置された一対の基礎部材を突っ張り状態にして固定するジャッキベース部材とから構成され、
基礎部材は、垂設体を備えている台座板と、台座板から下方に向けて延設した垂下板から形成され、
拡張アダプター部材は、単管パイプの立設板と、立設板から側方に向けて延設した所定の長さの腕部材から形成され、この腕部材は基礎部材の垂設体に連結する接合体を備え、
拡張アダプター部材を連結している基礎部材を開口部に対向するように設置し、ジャッキベース部材の両端部を一対の垂下板に圧接している状態において、
開口部に配置されている任意の位置の拡張アダプター部材の立設板に単管パイプを立設させ、それぞれの単管パイプに横パイプを組み付けたことを特徴とする。
【００２４】
請求項２に記載の、路面等の開口部における転落防止柵に係る発明によれば、路面等における開口部の周縁と、単管パイプとの間の距離を充分に確保した状態で、路面等における開口部の任意の位置に部分的な柵を構築することができ、必要に応じた特定部分において、歩行者や作業者等の転落を確実に防止することができる。
【００２５】
請求項３に係る発明は、基礎部材の垂設体と拡張アダプター部材の接合体は、いずれも筒状に形成され、拡張アダプター部材の接合体内に、基礎部材の垂設体を挿入可能であることを特徴とする。
【００２６】
請求項３に記載の、路面等の開口部における転落防止柵に係る発明によれば、基礎部材の垂設体と拡張アダプター部材の接合体は、いずれも筒状に形成され、拡張アダプター部材の接合体内に、基礎部材の垂設体を挿入可能であるので、作業者は、基礎部材に拡張アダプター部材を簡単に連結できる。
【００２７】
請求項４に係る発明は、拡張アダプター部材の腕部材は、長さ調節可能に形成されていることを特徴とする。
【００２８】
請求項４に記載の、路面等の開口部における転落防止柵に係る発明によれば、拡張アダプター部材の腕部材は、長さ調節可能に形成されているので、必要に応じて、路面等における開口部の周縁と単管パイプとの間の距離を適宜調節することができる。
【００２９】
請求項５に係る発明は、拡張アダプター部材を形成する単管パイプの立設板は、単管パイプを立設した状態で支持する単管パイプ用保持部を備えていることを特徴とする。
【００３０】
請求項５に記載の、路面等の開口部における転落防止柵によれば、拡張アダプター部材を形成する単管パイプの立設板は、単管パイプを立設した状態で支持する単管パイプ用保持部を備えているので、作業者は、単管パイプを立設した状態で、拡張アダプター部材に簡単に取り付けることができる。
【００３１】
請求項６に係る発明は、拡張アダプター部材を形成する単管パイプの立設板は、幅木材を支持する幅木材用保持部を備えていることを特徴とする。
【００３２】
請求項６に記載の、路面等の開口部における転落防止柵に係る発明によれば、拡張アダプター部材を形成する単管パイプの立設板は、幅木材を支持する幅木材用保持部を備えているので、必要に応じて、拡張アダプター部材間に幅木材を設置することができる。
【発明の効果】
【００３３】
本発明によれば、路面等における開口部の周縁と、柵を構成する部材との間の距離を充分に確保することにより、開口部内に土止め材（軽量鋼矢板）を設置する作業を円滑に実施すると共に、地中に存在している管等の位置を明確に示す路面マーキングを確実に実施すことができる。
【００３４】
また、路面等における開口部の周縁と、単管パイプとの間の距離を充分に確保した状態で、路面等における開口部を囲む柵を構築できると共に、路面等における開口部の任意の位置に部分的な柵を構築することも可能となる。
【図面の簡単な説明】
【００３５】
【図１】複数の単管パイプの立設治具を用いて、開口部の周囲に複数本の単管パイプを立設させ、それぞれの単管パイプに複数の横パイプを組み付けて開口部における転落防止柵を構成している状態を示す斜視図である。
【図２】基礎部材に拡張アダプター部材を連接している状態を示す斜視図である。
【図３】基礎部材に拡張アダプター部材を連接する状態を示す分解斜視図である。
【図４】基礎部材の構成を示す表面側の斜視図である。
【図５】基礎部材の構成を示す裏面側の斜視図である。
【図６】拡張アダプター部材の構成を示す表面側の斜視図である。
【図７】拡張アダプター部材の構成を示す裏面側の斜視図である。
【図８】単管パイプの立設治具を設置する手順を説明したもので、（ａ）は路面等の開口部の縁部に基礎部材を配置した状態を示す斜視図、（ｂ）はジャッキベース部材を構成するメインパイプを雄ネジ棒部材にあてがい、メインパイプ内に雄ネジ棒部材を挿入している状態を示す斜視図である。
【図９】単管パイプの立設治具を設置する手順を説明したもので、（ａ）は基礎部材の垂設体に拡張アダプター部材の接合体を連結する状態を示す分解斜視図、（ｂ）は基礎部材の垂設体に拡張アダプター部材の接合体を連結した状態を示す斜視図である。
【図１０】拡張アダプター部材の単管パイプ用保持部に単管パイプを取り付ける状態、また、幅木材用保持部に幅木材の端部をあてがって固定する状態を示す分解斜視図である。
【図１１】拡張アダプター部材の単管パイプ用保持部に単管パイプを取り付けた状態、また、幅木材用保持部に幅木材の端部をあてがって固定した状態を示す斜視図である。
【図１２】拡張アダプター部材の腕部材を、長さ調節可能に形成している状態を示す斜視図である。
【図１３】拡張アダプター部材の腕部材を、長さ調節可能に形成している状態を示す分解斜視図である。
【図１４】掘削した路面を埋め戻して路面の開口部を閉鎖したとき、地中に存在している管等の位置を示す路面マーキングを確実に実施した状態を示す斜視図である。
【図１５】台形状の開口部の周囲に転落防止柵を構成している状態を示す平面図である。
【図１６】台形状の開口部の周囲に転落防止柵を構成している状態を示すもので、（ａ）は楔板を介して基礎部材のみを開口部に配置している状態を示す斜視図、（ｂ）は楔板を介して基礎部材と拡張アダプター部材を開口部に配置している状態を示す斜視図である。
【図１７】路面等における開口部の周縁と単管パイプとの間の距離を充分に確保している柵と、その距離を確保していない通常の柵を組み合わせている例を示す平面図である。
【図１８】開口部内に複数の土止め材（軽量鋼矢板）を設置している状態において、開口部の周囲に複数のＡ型バリケードを配置した柵の構成を示す斜視図である。
【図１９】複数の単管パイプをクランプ等を介して組み付けて形成した柵の構成を示す斜視図である。
【図２０】特許文献１に示す柵の構成を示す側面図である。
【図２１】開口部の周縁と柵との距離が短い場合、地中に管等が存在していても、その位置を解り易く表記することができない状態を示す斜視図である。
【図２２】掘削した路面を埋め戻して路面の開口部を閉鎖したとき、地中に存在していた管の位置を解り易く表記することができない状態を示す斜視図である。
【発明を実施するための形態】
【００３６】
以下に、図面を参照して、本発明の一実施の形態について説明する。
【００３７】
本発明は、図１に示すように、路面等の開口部１００に単管パイプの立設治具Ａを配置し、この単管パイプの立設治具Ａを用いて、開口部１００の周囲に複数本の単管パイプ１０３を立設させ、それぞれの単管パイプ１０３に複数の横パイプ１０４を組み付けて、路面等の開口部１００における転落防止柵Ｂを構成している。
【００３８】
単管パイプの立設治具Ａは、図２・図３に示すように、路面等における開口部１００に配置する基礎部材１と、単管パイプ１０３を立設可能で、基礎部材１に連接する拡張アダプター部材２と、路面等における開口部１００内に配置されて、開口部１００の他端側と基礎部材１の一部を突っ張り状態にして固定するジャッキベース部材３とから構成されている。
【００３９】
また、図１に示すように、路面等における開口部１００に、対向するように一対の基礎部材１を配置し、この一対の基礎部材１のそれぞれに拡張アダプター部材２を連接し、ジャッキベース部材３により一対の基礎部材１を突っ張り状態にして固定するように構成しても良い。
【００４０】
基礎部材１は、図１・図８（ａ）に示すように、路面等における開口部１００の縁部に設置するものである。基礎部材１は、図４・図５に示すように、矩形状の台座板４と、台座板の一側面から下方に向けて延設した矩形上の垂下板５から形成されている。
【００４１】
台座板４は、その上面のほぼ中央に、所定の長さの垂設体６を備えている。この垂設体６は、拡張アダプター部材２と連結するための部材であり、所定の長さの筒状に形成されている。
【００４２】
拡張アダプター部材２は、図６・図７に示すように、単管パイプの立設板７と、立設板７から側方に向けて延設した所定の長さの腕部材８から形成されている。この腕部材８は、その先端部に、基礎部材１の垂設体６に連結する接合体９を備えている。接合体９は、基礎部材１の垂設体６に連結するための部材であり、筒状に形成された垂設体６よりも、若干径の太い筒状に形成され、基礎部材１の垂設体６を挿入可能となっている。
【００４３】
拡張アダプター部材２を形成する単管パイプの立設板7は、単管パイプ１０３を立設した状態で支持する単管パイプ用保持部１０を備えている。単管パイプ用保持部１０は、単管パイプ１０３を安定した状態で支持できる長さを有する筒状に形成されている。この単管パイプ用保持部１０は、筒状の単管パイプ１０３の下端部内に挿入可能に形成されている。
【００４４】
また、拡張アダプター部材２を形成する単管パイプの立設板７は、幅木材１１を支持する幅木材用保持部１２を備えている。
【００４５】
幅木材１１は、図１・図１０に示すように、所定の厚みを有する長方形の板状に形成され、その両端部における上下の角部に、所定の孔１３を設けている。
【００４６】
幅木材用保持部１２は、図６に示すように、所定の長さを有する長方形の板部材を略Ｌ字状に折曲した一対の挟持部材１４・１４により形成されている。この一対の挟持部材１４・１４は、幅木材１１の厚みに対応するように若干離れて配置されている。
【００４７】
また、単管パイプの立設板７においては、図６に示すように、一対の挟持部材１４・１４の間に、上向きの突片１５を設けている。この突片１５は、幅木材１１の両端部における下方の角部に設けられている孔１３に挿入されるものである。
【００４８】
さらに、幅木材用保持部１２は、拡張アダプター部材における単管パイプ用保持部１０の左右に、２箇所設けられている。
【００４９】
この他、ジャッキベース部材３は、図８（ａ）（ｂ）に示すように、所定の長さのメインパイプ２０と、雄ネジ棒部材２１と、雄ネジ棒部材２１に取り付けたハンドル２２から構成されている。ジャッキベース部材３としては、種々の構成のものが存在しているが、一例として、雄ネジ棒部材２１が基礎部材１の垂下板５に溶接して固定されているものとして説明する。
【００５０】
メインパイプ２０は、筒状で雄ネジ棒部材２１を挿入可能に形成されている。また、雄ネジ棒部材２１に取り付けているハンドル２２の内周面には、雌ネジが設けられている。そして、雄ネジ棒部材２１をメインパイプ２０内に挿入した状態において、ハンドル２２を回転させる。このときのハンドル２２の回転操作により、メインパイプ２０から突出する方向に雄ネジ棒部材２１を移動させて、開口部１００内においてジャッキベース部材３を突っ張り状態にするのである。
【００５１】
以下に、路面等の開口部１００に、単管パイプの立設治具Ａを設置する手順について説明する。
【００５２】
まず、図８（ａ）に示すように、路面等における開口部１００の縁部に、基礎部材１を配置する。実際の作業においては、図１に示すように、路面等における開口部１００の縁部に、対向するように一対の基礎部材１を配置することとなる。
【００５３】
そして、図８（ｂ）に示すように、ジャッキベース部材３を構成するメインパイプ２０
を雄ネジ棒部材２１にあてがい、メインパイプ２０内に雄ネジ棒部材２１を挿入した状態とする。
【００５４】
この状態でハンドル２２の回転操作により、メインパイプ２０から突出する方向に雄ネジ棒部材２１を移動させて、ジャッキベース部材３を突っ張り状態にし、開口部１００の縁部に一対の基礎部材１を固定するのである。
【００５５】
次に、図９（ａ）（ｂ）に示すように、基礎部材１の垂設体６に拡張アダプター部材２の接合体９をあてがい、接合体９内に垂設体６を挿入するようにして、礎部材１の垂設体６に拡張アダプター部材２の接合体９を連結する。
【００５６】
次に、図１０・図１１に示すように、拡張アダプター部材２の単管パイプ用保持部１０に単管パイプ１０３の下端部をあてがい、単管パイプ１０３内に単管パイプ用保持部１０を挿入するようにして、単管パイプ１０３を立設した状態で取り付ける。
【００５７】
また、図１０に示すように、拡張アダプター部材２の幅木材用保持部１２に幅木材１１の端部をあてがって固定する。具体的には、幅木材用保持部１２を構成する一対の挟持部材１４・１４の間に幅木材１１の端部を挿入し、拡張アダプター部材の上向きの突片１５を幅木材１１の下方の角部に設けられている孔１３に挿入して、拡張アダプター部材に幅木材１１を固定するのである。
【００５８】
このようにして、単管パイプの立設治具Ａを用いて開口部１００の周囲に複数本の単管パイプ１０３を立設させ、所定のクランプ３０を介して、それぞれの単管パイプ１０３に複数の横パイプ１０４を組み付けて、開口部１００における転落防止柵Ｂを構成するのである。
【００５９】
この他、図１２・図１３に示すように、拡張アダプター部材２の腕部材８は、長さ調節可能に形成しても良い。
【００６０】
この腕部材８は、立設板７に固定している所定の長さの矩形状筒部４０と、この矩形状筒部４０に挿入される所定の長さの板部材４１により形成されている。この板部材４１の先端部には、接合体９が設けられている。
【００６１】
また、矩形状筒部４０の先端部側の上面には、雌螺子孔４２が設けられており、所定の螺子４３を捩じ込み可能にしている。即ち、板部材４１を矩形状筒部４０内に挿入した状態において、所定の位置で雌螺子孔４２に螺子４３を捩じ込んで、腕部材８の長さを調節して固定するのである。
【００６２】
本発明によれば、単管パイプ１０３を立設可能で、基礎部材１に連接する拡張アダプター部材３が存在し、この拡張アダプター部材３は所定の長さの腕部材８を備えていることから、路面等における開口部１００の周縁と、単管パイプ１０３との間の距離を充分に確保することができる。
【００６３】
その結果、開口部１００内に複数の土止め材（軽量鋼矢板）１０１を設置する作業を実施する際に、開口部１００の周囲に設置した単管パイプ１０３が作業の邪魔になってしまう事態が回避できる。
【００６４】
また、路面等における開口部１００の周縁と、単管パイプ１０３との間の距離を充分に確保できることから、例えば、図１４に示すように、掘削した路面を埋め戻して路面の開口部１００を閉鎖したとき、地中に存在している管等の位置を示す路面マーキングを確実に実施すことができる。
【００６５】
この他、図１５に示すように、台形状の開口部１００の周縁に、転落防止柵Ｂを設けても良い。
【００６６】
この転落防止柵Ｂは、台形状の開口部１００における短辺部分の角部（図１５の上縁部分の角部）には、対向するように一対の基礎部材１と拡張アダプター部材２を配置する。
【００６７】
このとき、台形状の開口部１００の側縁部分と、基礎部材１の垂下板５との間に所定の隙間が生じるので、図１５・図１６（ｂ）に示すように、この隙間を埋める楔板５０を介して、基礎部材１の垂下板５を開口部１００の側縁部分に配置する。
【００６８】
また、台形状の開口部１００における長辺部分の角部（図１５の下縁部分の角部）には、対向するように一対の基礎部材１のみを配置する。このとき、拡張アダプター部材２は配置しないものとする。
【００６９】
このときも、台形状の開口部１００の側縁部分と、基礎部材１の垂下板５との間に所定の隙間が生じるので、図１５・図１６（ａ）に示すように、この隙間を埋める楔板５０を介して、基礎部材１の垂下板５を開口部１００の側縁部分に配置する。また、図１６（ａ）に示すように、基礎部材１の台座板４に、一対の挟持部材１４０・１４０と、一対の挟持部材１４０・１４０の間に上向きの突片１５０を設けるものとする。
【００７０】
そして、図１５に示すように、台形状の開口部１００の周縁に、長方形状の転落防止柵Ｂを設けるのである。
【００７１】
さらに、図１６に示すように、路面等における開口部１００の周縁と単管パイプ１０３との間の距離を充分に確保している転落防止柵Ｂと、その距離を確保していない通常の転落防止柵Ｂｂを組み合わせて設けても良い。
【００７２】
具体的には、長方形状の開口部１００において、下方部分の角部（図１６の下縁部分の角部）と中間部分に、それぞれ対向するように一対の基礎部材１と拡張アダプター部材２を配置する。
【００７３】
また、長方形状の開口部１００における上方部分の角部（図１６の上縁部分の角部）には、対向するように一対の基礎部材１のみを配置する。このとき、拡張アダプター部材２は配置しないものとする。この基礎部材１は、図１６（ａ）に示すように、基礎部材１の台座板４に、一対の挟持部材１４０・１４０と、一対の挟持部材１４０・１４０の間に上向きの突片１５０を設けるものとする。
【００７４】
この他、本発明によれば、路面等における開口部１００の周縁と単管パイプ１０３との間の距離を充分に確保した状態で、路面等における開口部１００を囲むようにして転落防止柵Ｂを容易に構築できるものであるが、これに限らず、路面等における開口部１００の任意の位置に部分的な転落防止柵Ｂを構築することも可能となる。
【００７５】
また、本発明によれば、矩形や台形状等の様々な形状の開口部１００に、転落防止柵Ｂを容易に構築することができる。
【符号の説明】
【００７６】
１００  開口部
１０１  土止め材（軽量鋼矢板）
１０２  Ａ型バリケード
１０３  単管パイプ
１０４  横パイプ
Ｃ  支柱
Ｂ１  突っ張り部材
Ｄ  単管パイプ
Ｃ１  支柱基部
５ａ  断面鉤型係止部
Ｅ  直交クランプ
Ａ  単管パイプの立設治具
Ｂ  転落防止柵
Ｂｂ  通常の転落防止柵
１  基礎部材
２  拡張アダプター部材
３  ジャッキベース部材
４  台座板
５  垂下板
６  垂設体
７  単管パイプの立設板、
８  腕部材
９  接合体
１０  単管パイプ用保持部
１１  幅木材
１２  幅木材用保持部
１３  孔
１４（１４０）  挟持部材
１５（１５０）  突片
２０  メインパイプ
２１  雄ネジ棒部材
２２  ハンドル
３０  クランプ
４０  矩形状筒部
４１  板部材
４２  雌螺子孔
４３  螺子
５０  楔板
【図１】
0006544845.tif 000002
【図２】
0006544845.tif 000003
【図３】
0006544845.tif 000004
【図４】
0006544845.tif 000005
【図５】
0006544845.tif 000006
【図６】
0006544845.tif 000007
【図７】
0006544845.tif 000008
【図８】
0006544845.tif 000009
【図９】
0006544845.tif 000010
【図１０】
0006544845.tif 000011
【図１１】
0006544845.tif 000012
【図１２】
0006544845.tif 000013
【図１３】
0006544845.tif 000014
【図１４】
0006544845.tif 000015
【図１５】
0006544845.tif 000016
【図１６】
0006544845.tif 000017
【図１７】
0006544845.tif 000018
【図１８】
0006544845.tif 000019
【図１９】
0006544845.tif 000020
【図２０】
0006544845.tif 000021
【図２１】
0006544845.tif 000022
【図２２】
0006544845.tif 000023